(57)【特許請求の範囲】
【請求項１】
機器本体と該機器本体に着脱可能で入力機器からの入力が与えられて機器の一部を構成する入力ユニットとを備え、パラメータが設定される機器であって、
前記機器本体および前記入力ユニットは、パラメータデータを格納するメモリと前記メモリへのパラメータデータの格納および読み出しを制御するＣＰＵとをそれぞれ備え、
前記機器本体のメモリに格納されているパラメータデータを読み出して、当該機器本体に装着されている前記入力ユニットのメモリにコピーする動作および前記機器本体に装着されている入力ユニットのメモリに格納されているパラメータデータを読み出して当該機器本体のメモリにコピーして設定する動作の少なくとも一方の動作を行うことを特徴とするパラメータが設定される機器。
【請求項２】
前記機器本体に格納されているパラメータデータは、操作によって設定されたものである請求項１記載のパラメータが設定される機器。
【発明の詳細な説明】
【０００１】
【発明の属する技術分野】
本発明は、デジタルパネルメータ、カウンタ、タイマあるいは温度調節器等の各種の機器に関し、さらに詳しくは、そのパラメータの設定に関する。
【０００２】
【従来の技術】
この種の機器、例えば、デジタルパネルメータは、センサ等の入力機器からの入力に基づく温度や回転数などの計測データをリアルタイムで表示するものであるが、かかるデジタルパネルメータでは、用途に応じて、入力レンジ、計測単位、小数点の位置あるいは数値の設定等の多数のパラメータの設定が必要である。
【０００３】
【発明が解決しようとする課題】
同じ用途に使用されるデジタルパネルメータが複数台ある場合には、前記多数のパラメータは、いずれのデジタルパネルメータも同一の設定となる。また、同様の用途に使用されるデジタルパネルメータが複数台ある場合には、前記多数のパラメータの大部分は、同一の設定となる。
【０００４】
従来では、同一の設定であっても、各デジタルパネルメータ毎に、一台一台設定しており、面倒であるとともに、非効率的であった。
【０００５】
本発明は、上述の点に鑑みて為されたものであって、同一のパラメータの設定を行う場合に、効率的に設定を行えるようにすることを目的とする。
【０００６】
【課題を解決するための手段】
本発明では、上述の目的を達成するために、次のように構成している。
【００１１】
本発明の機器は、機器本体と該機器本体に着脱可能で入力機器からの入力が与えられて機器の一部を構成する入力ユニットとを備え、パラメータが設定される機器であって、前記機器本体および前記入力ユニットは、パラメータデータを格納するメモリと前記メモリへのパラメータデータの格納および読み出しを制御するＣＰＵとをそれぞれ備え、前記機器本体のメモリに格納されているパラメータデータを読み出して、当該機器本体に装着されている前記入力ユニットのメモリにコピーする動作および前記機器本体に装着されている入力ユニットのメモリに格納されているパラメータデータを読み出して当該機器本体のメモリにコピーして設定する動作の少なくとも一方の動作を行う。
【００１２】
本発明によると、機器本体のメモリに格納されているパラメータデータを読み出して、当該機器本体に装着されている入力ユニットのメモリにコピーする動作を行うことにより、操作によって機器本体に設定されたパラメータデータを、入力ユニットにコピーすることができ、また、機器本体に装着されている入力ユニットのメモリに格納されているパラメータデータを読み出して当該機器本体のメモリにコピーして設定する動作を行うことにより、入力ユニットにコピーされたパラメータデータを、その入力ユニットを装着した機器本体のメモリにコピーして設定することが可能となり、或る機器に対して操作によって設定したパラメータデータを、入力ユニットを介して他の機器にコピーして設定できるので、多くの機器に同一のパラメータを設定する場合に、各機器毎に、操作によってパラメータを設定する必要がない。
【００１３】
本発明の他の実施態様において、前記機器本体に格納されているパラメータデータは、操作によって設定されたものである。
【００１４】
本発明によると、操作によって設定されたパラメータデータを、機器本体のメモリから読み出して入力ユニットのメモリにコピーし、この入力ユニットを他の機器に装着して当該他の機器のメモリに、パラメータデータをコピーして設定することができ、多くの機器に同一のパラメータを設定する場合に、各機器毎に、操作によってパラメータを設定する必要がない。
【００１５】
【発明の実施の形態】
以下、図面によって、本発明の実施の形態について、詳細に説明する。
【００１６】
（実施の形態１）
図１は、本発明の一つの実施の形態に係る計測機器としてのデジタルパネルメータの正面図であり、図２は、その背面側から見た外観斜視図である。
【００１７】
デジタルパネルメータ１は、その前面に計測データなどを表示する液晶表示部２と、各種の機能設定のための複数の操作キー３と、計測値と比較値との比較結果に応じた比較出力を表示する比較出力表示部４とを備えている。
【００１８】
このデジタルパネルメータ１は、デジタルパネルメータ本体５と、該本体５に背面側から着脱自在に構成された、入力ユニット、制御ユニット、出力ユニットおよび電源ユニットなどの複数のユニット６とを備えている。
【００１９】
各ユニット６は、図３に示されるように、デジタルパネルメータ本体５のケースの背面に形成された開口部７からコネクタを介してそれぞれ着脱できるように構成されている。
【００２０】
この実施の形態のデジタルパネルメータ１も、従来例のデジタルパネルメータと同様に、入力レンジ、計測単位、小数点の位置あるいは数値の設定等の多数のパラメータの設定が必要であり、操作キー３の操作によって、それらパラメータの設定が行えるように構成されている。
【００２１】
この実施の形態では、例えば、同じ用途に使用されるデジタルパネルメータが複数台ある場合に、従来のように、一台一台に、同一のパラメータの設定操作を行う必要をなくして効率的なパラメータの設定を行えるようにするために、次のようにしている。
【００２２】
すなわち、この実施の形態では、デジタルパネルメータ本体５に着脱自在な入力ユニット６を用いて、デジタルパネルメータ本体５に設定されたパラメータデータを、他のデジタルパネルメータにコピーして設定できるようにしている。
【００２３】
図４は、この入力ユニット６とデジタルパネルメータ本体５との要部のブロック図である。この図４に示されるように、デジタルパネルメータ本体５は、上述の操作キー３、液晶表示部２を備えるとともに、設定されたパラメータデータが格納されるメモリ８および各部を制御するＣＰＵ９を備えている。また、入力ユニット６は、センサ等の入力機器からの入力が与えられる入力回路１０を備えるとともに、パラメータデータを格納するメモリ１１および各部を制御するＣＰＵ１２を備えており、この入力ユニット６は、コネクタ１３を介してデジタルパネルメータ本体５に接続されている。
【００２４】
デジタルパネルメータ本体５のＣＰＵ９は、操作キー３の操作によって設定されたパラメータデータをメモリ８に格納することができる。
【００２５】
この実施の形態では、デジタルパネルメータ本体５のＣＰＵ９は、操作キー３の所定の操作によって、メモリ８に格納されているパラメータデータを、装着されている入力ユニット６のＣＰＵ１２を介して該入力ユニット６のメモリ１１にコピーする機能を有する一方、逆に、操作キー３の所定の操作によって、装着されている入力ユニット６のメモリ１１に格納されているパラメータデータを、デジタルパネルメータ本体５のメモリ８にコピーして設定する機能を有している。
【００２６】
次に以上の構成を有するデジタルパネルメータ１の複数台に同一のパラメータの設定を行う場合の設定方法について、図５に基づいて説明する。なお、この図５においては、或るデジタルパネルメータと他のデジタルパネルメータとを区別するために、下付の参照符号を付している。
【００２７】
先ず、図５（ａ）に示されるように、複数台のデジタルパネルメータの内の或るデジタルパネルメータ１1に対して、操作キー３の操作によって従来と同様にパラメータの設定を行う。これによって、デジタルパネルメータ本体５1のメモリに、パラメータデータが格納されることになる。
【００２８】
次に、同図（ｂ）に示されるように、そのデジタルパネルメータ１1から入力ユニット６1を取り外して、パラメータを設定しようとする他のデジタルパネルメータ１2の入力ユニット６2を、前記或るデジタルパネルメータ本体５1に装着し、操作キー３の所定の操作、例えば、複数の操作キー３を同時に押圧操作することにより、同図（ｃ）に示されるように、デジタルパネルメータ本体１1は、そのメモリに格納されているパラメータデータを、装着されている他のデジタルパネルメータ１2の入力ユニット６2のメモリにコピーする。
【００２９】
次に、パラメータデータがコピーされた他のデジタルパネルメータ１2の入力ユニット６2を、或るデジタルパネルメータ本体５1から外して、同図（ｄ）に示されるように、当該他のデジタルパネルメータ本体５2に装着し、この他のデジタルパネルメータ１2の操作キー３の所定の操作、例えば、特定の操作キー３を、一定期間押圧操作することにより、同図（ｅ）に示されるように、入力ユニット６2のメモリに格納されているパラメータデータを、当該他のデジタルパネルメータ本体５2のメモリにコピーして当該デジタルパネルメータ１2にパラメータデータを設定するのである。
【００３０】
以下、同様して複数台のデジタルパネルメータに対して同一のパラメータデータの設定が行えることになる。
【００３１】
次に、以上のコピー動作を、図６および図７のフローチャートに基づいて説明する。
【００３２】
図６は、デジタルパネルメータ１の本体５のメモリに格納されているパラメータデータを、入力ユニット６のメモリにコピーする場合の処理を示している。
【００３３】
先ず、計測モードにおいて、操作キー３を操作して、本体５のパラメータを、入力ユニット６にコピーするモードを設定し（ステップｎ１）、このモードにおいて、操作キー３の所定の操作がなされたか否か、すなわち、本体５のパラメータを、入力ユニット６にコピーするか否かが判断され（ステップｎ２）、所定の操作がなされたときには、本体５のパラメータを、入力ユニット６にコピーして計測モードに戻る（ステップｎ３）。
【００３４】
図７は、入力ユニット６のメモリに格納されているパラメータデータを、デジタルパネルメータ１の本体５のメモリにコピーしてパラメータデータを設定する場合の処理を示している。
【００３５】
先ず、計測モードにおいて、操作キー３を操作して、入力ユニット６のパラメータを、本体５にコピーするモードを設定し（ステップｎ１）、このモードにおいて、操作キー３の所定の操作がなされたか否か、すなわち、入力ユニット６のパラメータを、本体５にコピーするか否かが判断され（ステップｎ２）、所定の操作がなされたときには、入力ユニット６のパラメータを、本体５にコピーして計測モードに戻る（ステップｎ３）。
【００３６】
（その他の実施の形態）
上述の実施の形態では、デジタルパネルメータは、本体のパラメータデータを、入力ユニットにコピーする機能および入力ユニットのパラメータデータを、本体にコピーする機能のいずれの機能も備えたけれども、本発明の他の実施の形態として、いずれか一方の機能を備えるようにしてもよい。  
【００３７】
上述の実施の形態では、デジタルパネルメータに適用して説明したけれども、本発明は、デジタルパネルメータに限らず、パラメータの設定が必要なカウンタ、タイマあるいは温度調節器などの他の機器にも適用できるものである。
【００３８】
【発明の効果】
以上のように本発明によれば、或る機器に対して操作によって設定したパラメータデータを、機器本体に着脱自在な入力ユニットを介して他の機器にコピーして設定するので、複数の機器に同一のパラメータを設定する場合に、各機器毎に、操作によってパラメータを設定する必要がなく、効率的にパラメータの設定が行える。
【図面の簡単な説明】
【図１】本発明の一つの実施の形態に係るデジタルパネルメータの正面図である。
【図２】図１のデジタルパネルメータの背面側から見た外観斜視図である。
【図３】ユニットを本体から外した状態を示す外観斜視図である。
【図４】本体および入力ユニットの要部のブロック図である。
【図５】パラメータデータの設定の手順を説明する図である。
【図６】動作説明に供するフローチャートである。
【図７】動作説明に供するフローチャートである。
【符号の説明】
１                          デジタルパネルメータ
３                          操作キー
５                          機器本体
６                          ユニット
８，１１                    メモリ
９，１２                    ＣＰＵ
【図１】
0004134530.tif 000002
【図２】
0004134530.tif 000003
【図３】
0004134530.tif 000004
【図４】
0004134530.tif 000005
【図５】
0004134530.tif 000006
【図６】
0004134530.tif 000007
【図７】
0004134530.tif 000008